(57)【要約】 【課題】  利用者の入力負荷を軽減することができ、利用者の使い勝手を向上することができる電子装置およびプログラムを提供する。【解決手段】  予め記憶部１２に記憶された滞在期間情報と、入力部１１に新たに入力された時間情報（以下、「入力時間情報」という場合がある）との重なり状態を、制御部１４が判断する。制御部１４は、滞在期間情報と入力時間情報とが重なっていると判断したとき、入力時間情報を、記憶部１２に記憶された滞在予定の地域情報２３の時刻帯に対応する時間情報２１に合致させる。したがって前記従来の技術のように、利用者がスケジュール情報２０を入力して記憶させるたびに、所望する地域の時刻帯を指定して入力する操作を行う必要が無くなる。これによって前記従来の技術よりも利用者の入力負荷を軽減することができる。【選択図】      図１
2006330928.tif 000002
【特許請求の範囲】
【請求項１】
少なくとも地域情報および時間情報を含むスケジュール情報を入力可能な入力手段と、
スケジュール情報を記憶可能な記憶手段と、
予め記憶手段に記憶されたスケジュール情報の時間情報を表す記憶時間情報と、入力手段に新たに入力されたスケジュール情報の時間情報を表す入力時間情報との重なり状態を判断する判断手段と、
判断手段によって、記憶時間情報と入力時間情報とが重なっていると判断されたとき、入力時間情報を、記憶手段に記憶された地域情報の時刻帯に対応する時間情報に合致させる制御手段とを含むことを特徴とする電子装置。
【請求項２】
前記スケジュール情報を出力可能な出力手段と、
スケジュール情報を出力手段に出力させるための指令を入力する出力指令入力手段とをさらに含み、
前記制御手段は、出力指令入力手段によって入力される指令に基づいて、記憶手段に記憶されているスケジュール情報を読出して出力するように、出力手段を制御することを特徴とする請求項１記載の電子装置。
【請求項３】
前記判断手段は、前記記憶手段に記憶された地域情報の時刻帯に応じて、前記記憶時間情報と入力時間情報との重なり状態を判断することを特徴とする請求項１に記載の電子装置。
【請求項４】
コンピュータを、請求項１〜３のいずれか１つに記載の電子装置として機能させることを特徴とするプログラム。
【発明の詳細な説明】
【技術分野】
【０００１】
本発明は、スケジュール情報を記憶および表示可能な電子装置およびプログラムに関する。
【背景技術】
【０００２】
携帯電話機および携帯情報端末（Personal Digital Assistance；略称：ＰＤＡ）などの電子装置には、電子的なスケジュール帳の機能を備え、スケジュールを登録して表示することができる電子装置がある。このようなスケジュール機能を備える電子装置では、利用者が、スケジュールの時刻として、所望する地域、たとえば自国または外国の所定の地域の時刻を選択および決定をして、スケジュール情報を登録するように構成されている。
【０００３】
従来の技術の電子装置では、利用者がスケジュール情報を登録するとき、所望する地域の時刻帯の時刻を基準時刻としてスケジュール情報の時刻を登録し、その後スケジュールの確認のためにスケジュール情報を表示するとき、利用者が所望する地域の時刻帯を指定する。電子装置は、予め登録されているスケジュール情報の時刻を、利用者によって指定された地域の時刻帯の時刻に換算し、換算した時刻でスケジュール情報を表示するように構成される（たとえば、特許文献１参照）。
【０００４】
【特許文献１】特開平５−２４２０４２号公報
【発明の開示】
【発明が解決しようとする課題】
【０００５】
前述の従来の技術の電子装置では、たとえば利用者によって海外出張のスケジュールが登録されているときに、海外出張期間中に行われる会議のスケジュールを登録するとき、利用者にとっては明らかに出張先のスケジュールであると判っている場合でも、利用者はスケジュールの登録のたびに所望する地域の時刻帯を指定する入力操作をする必要があるので、利用者にとって前記入力操作が負担になっている。
【０００６】
本発明の目的は、利用者の入力負荷を軽減することができ、利用者の使い勝手を向上することができる電子装置およびプログラムを提供することである。
【課題を解決するための手段】
【０００７】
本発明は、少なくとも地域情報および時間情報を含むスケジュール情報を入力可能な入力手段と、
スケジュール情報を記憶可能な記憶手段と、
予め記憶手段に記憶されたスケジュール情報の時間情報を表す記憶時間情報と、入力手段に新たに入力されたスケジュール情報の時間情報を表す入力時間情報との重なり状態を判断する判断手段と、
判断手段によって、記憶時間情報と入力時間情報とが重なっていると判断されたとき、入力時間情報を、記憶手段に記憶された地域情報の時刻帯に対応する時間情報に合致させる制御手段とを含むことを特徴とする電子装置である。
【０００８】
また本発明は、前記スケジュール情報を出力可能な出力手段と、
スケジュール情報を出力手段に出力させるための指令を入力する出力指令入力手段とをさらに含み、
前記制御手段は、出力指令入力手段によって入力される指令に基づいて、記憶手段に記憶されているスケジュール情報を読出して出力するように、出力手段を制御することを特徴とする。
【０００９】
また本発明は、前記判断手段は、前記記憶手段に記憶された地域情報の時刻帯に応じて、前記記憶時間情報と入力時間情報との重なり状態を判断することを特徴とする。
【００１０】
また本発明は、コンピュータを、前記電子装置として機能させることを特徴とするプログラムである。
【発明の効果】
【００１１】
本発明によれば、予め記憶手段に記憶されたスケジュール情報の時間情報を表す記憶時間情報と、入力手段に新たに入力されたスケジュール情報の時間情報を表す入力時間情報との重なり状態が、判断手段によって判断される。判断手段によって記憶時間情報と入力時間情報とが重なっていると判断されたとき、制御手段によって入力時間情報が、記憶手段に記憶された地域情報の時刻帯に対応する時間情報に合致させられる。したがって前記従来の技術のように、利用者がスケジュール情報を入力して記憶させるたびに、所望する地域の時刻帯を指定して入力する操作を行う必要が無くなる。これによって前記従来の技術よりも利用者の入力負荷を軽減することができる。
【００１２】
また本発明によれば、出力指令入力手段に、スケジュール情報を出力手段に出力させるための指令が入力されると、出力手段は前記指令に基づいて、記憶手段に記憶されているスケジュール情報を読出して出力するように、制御手段によって制御される。たとえば、前記判断手段によって記憶時間情報と入力時間情報とが重なっていると判断された場合、利用者によってスケジュール情報を出力手段に出力させる指令が入力されると、記憶手段に記憶された地域情報の時刻帯に対応する時間情報に合致させられた入力時間情報を含むスケジュール情報が、出力手段に出力される。したがって本発明では、前記従来の技術とは異なり、利用者が所望する地域の時刻帯を指定して入力する操作をする必要が無く、スケジュール情報を出力手段に出力する指令を入力する操作をするだけで、所定の地域情報の時刻帯に対応する時間情報に合致させられた入力時間情報を含むスケジュール情報を、容易かつ迅速に出力手段に出力させることができる。これによって利用者は、出力手段に出力されたスケジュール情報を即座に確認することができ、利用者の使い勝手を向上することができる。
【００１３】
また本発明によれば、記憶手段に記憶された地域情報の時刻帯、具体的には予め定める地域、およびその地域における時刻と世界標準時刻との時差に応じて、前記記憶時間情報と入力時間情報との重なり状態を判断するので、記憶時間情報と入力時間情報との重なり状態を正確に判断することができる。
【００１４】
また本発明によれば、プログラムは、コンピュータによって実行される。コンピュータは、予め記憶手段に記憶されたプログラムに基づいて、スケジュール情報の時間情報を表す記憶時間情報と、新たに入力されたスケジュール情報の時間情報を表す入力時間情報との重なり状態を判断し、記憶時間情報と入力時間情報とが重なっていると判断したとき、入力時間情報を、記憶手段に記憶された地域情報の時刻帯に対応する時間情報に合致させる。出力指令入力手段に、スケジュール情報を出力手段に出力させるための指令が入力されたとき、出力手段は前記指令に基づいて、記憶手段に記憶されているスケジュール情報を読出して出力する。
【００１５】
したがって、汎用的なコンピュータを用いてプログラムを実行することによって、前記従来の技術のように、利用者がスケジュール情報を入力して記憶させるたびに、所望する地域の時刻帯を指定して入力する操作を行う必要が無く、従来の技術よりも利用者の入力負荷を軽減することができる。またスケジュール情報を出力手段に出力する指令を入力する操作をするだけで、所定の地域情報の時刻帯に対応する時間情報に合致させられた入力時間情報を含むスケジュール情報を、容易かつ迅速に出力手段に出力させることができる。これによって利用者は、出力手段に出力されたスケジュール情報を即座に確認することができ、利用者の使い勝手を向上することができる。
【発明を実施するための最良の形態】
【００１６】
図１は、本発明の実施の一形態である電子装置１の電気的構成を示すブロック図である。図２は、スケジュール情報２０の構成を示す図である。図３は、時刻帯情報テーブル３０の構成を示す図である。電子装置１は、入力部１１、記憶部１２、表示部１３および制御部１４を含んで構成される。電子装置１は、たとえば利用者が携帯して持運ぶことが可能であり、利用者に持運ばれることによって移動する携帯情報端末（Personal Digital
Assistance；略称：ＰＤＡ）によって実現される。
【００１７】
入力部１１は、たとえばキーボードによって実現される。入力部１１は、利用者が操作する操作入力キーなどの複数の操作片を有する。入力部１１は、各操作片が操作されることによって、数字情報、文字情報および電子装置１への指示情報などの所定の情報など、操作に応じた情報を表す信号を生成して後述する制御部１４に与える。したがって利用者は、入力部１１の各操作片を操作して、電子装置１に情報、本実施の形態では後述するスケジュール情報およびスケジュール情報を表示部１３に表示させるための指令などを入力することができる。本実施の形態の入力部１１は、スケジュール帳キーを有する。スケジュール帳キーは、電子装置１を、電子的なスケジュール帳として機能させるスケジュールモードに遷移するときに、利用者によって操作される。
【００１８】
記憶部１２は、リードオンリメモリ（Read Only Memory；略称：ＲＯＭ）、ランダムアクセスメモリ（Random Access Memory；略称：ＲＡＭ）およびフラッシュメモリ（flash
memory）などの書換え可能な不揮発性メモリを含む。ＲＯＭは、電子装置１の動作を制御するための制御プログラムおよび電子装置１の各種機能を実現するための処理プログラムを記憶する。ＲＡＭは、たとえば入力中のスケジュール情報２０を一時的に記憶する。フラッシュメモリは、スケジュール情報２０および時刻帯情報テーブル３０を記憶する。
【００１９】
スケジュール情報２０は、図２に示すように時間情報２１、内容情報２２および地域情報２３を含む。時間情報２１は、年月日および時刻を表す情報である。内容情報は、スケジュールの内容を表す情報である。地域情報は、スケジュールが実行される国または都市などの地域を表す情報である。地域情報は、住所または居所を表す所情報を含んでいてもよい。
【００２０】
時刻帯情報テーブル３０は、複数の時刻帯と、各時刻帯におけるグリニッジ標準時刻（
Greenwich Mean Time；略称：ＧＭＴ）に対する時差とを含み、時刻帯と時差とを相互に関連付けたテーブルである。ここで、時刻帯は、地球を経度約１５度毎の地域に分割し、それぞれの地域に標準時刻を定めたときに、同一の標準時刻を用いている地域を表す。日本の時刻帯は１つであり、日本中で同一の時刻になっているけれども、東西に延びる広い国土を有する国では、複数の時刻帯を用いている。たとえば、米国では４つの時刻帯を用いている。
【００２１】
図３の時刻帯情報テーブル３０に示すように、ロンドンにおけるＧＭＴに対する時差は０時間であり、シアトルにおけるＧＭＴに対する時差は−８時間である。数値に付している記号「−」は、ＧＭＴよりも時間が遅い、換言すれば遅れていることを表している。したがってシアトルの時刻は、ＧＭＴよりも８時間遅い。パリにおけるＧＭＴに対する時差は＋１時間であり、日本におけるＧＭＴに対する時差は＋９時間である。数値に付している記号「＋」は、ＧＭＴよりも時間が早い、換言すれば進んでいることを表している。したがってパリの時刻は、ＧＭＴよりも１時間早く、日本の時刻はＧＭＴよりも９時間早い。
【００２２】
表示部１３は、たとえばカラー表示可能な半透過半反射型液晶表示素子によって実現され、文字画像、静止画像および動画像を含む画像を表示する。本実施の形態では、スケジュール情報を表す画像などが表示部１３に表示される。表示部１３は、カラー表示または白黒表示可能な透過型液晶表示素子、反射型液晶表示素子、エレクトロルミネッセンス（
Electro Luminescence；略称：ＥＬ）素子および白黒表示可能な半透過半反射型液晶表示素子のうちいずれか１つによって実現されてもよい。
【００２３】
制御部１４は、中央演算処理装置（Central Processing Unit；略称：ＣＰＵ）を含み、記憶部１２のＲＯＭに記憶される制御プログラムに基づいて、前記の入力部１１、記憶部１２および表示部１３を含むハードウェア資源を制御する。制御部１４は、入力部１１から与えられる信号に基づいて、電子装置１を構成する各部位に制御信号を与えて、その動作を制御する。たとえば制御部１４は、画像の表示部１３への表示動作を制御する。
【００２４】
本実施の形態において、入力手段および出力指令入力手段は、入力部１１によって構成され、記憶手段は記憶部１２によって構成される。判断手段および制御手段は、制御部１４によって構成される。出力手段は、表示部１３によって構成される。
【００２５】
図４は、スケジュール情報２０の入力処理および記憶処理に関する制御部１４の処理手順を示すフローチャートである。本処理手順の開始条件としては、たとえば利用者によってスケジュール帳キーが操作されることである。ただし、必ずしもこの開始条件に限定されるものではない。本処理手順の制御主体は、特に記載しない限り制御部１４である。ここでは、日本に居住している利用者が所定の期間に国外に滞在する場合を想定し、滞在する予定の国外の所定の地域におけるスケジュール情報２０を入力して記憶させる場合について説明する。
【００２６】
ステップａ１では、時間情報２１、内容情報２２および地域情報２３を含むスケジュール情報２０が入力されているか否かを判断し、入力されていればステップａ２に進み、入力されていなければ入力されるまで待機する。
【００２７】
ステップａ２では、ステップａ１で入力されたスケジュール情報２０を記憶部１２のフラッシュメモリに記憶させる。本実施の形態では、時間情報２１として、国外の所定の地域の時刻で表された滞在期間を表す情報（以下、「滞在期間情報」という場合がある）「２００５年３月９日１９時〜２００５年３月１５日１７時」、ならびにスケジュールの年月日および時刻を表す情報「２００５年３月１２日１４時」が入力されたこととする。また内容情報２２として「会議」が入力され、地域情報２３として「ロンドン、＊＊ビル」が入力されたこととする。前記入力された時間情報２１、内容情報２２および地域情報２３は、スケジュール情報２０として記憶部１２のフラッシュメモリに記憶させる。本実施の形態において、時間情報２１として入力された滞在期間情報が表す滞在期間の始期は、「国外到着日時」を表し、前記滞在期間の終期は、「国外出発日時」を表すものとする。ステップａ２の処理を終了した後は、本処理を終了する。
【００２８】
図５は、スケジュール情報２０の入力処理および記憶処理に関する制御部１４の処理手順を示すフローチャートである。本処理手順の開始条件としては、スケジュール情報２０が記憶部１２に記憶されているときに、利用者によってスケジュール帳キーが操作されることである。本処理手順の制御主体は、特に記載しない限り制御部１４である。ここでは、予め記憶部１２に、滞在期間情報「２００５年３月９日１９時〜２００５年３月１５日１７時」および地域情報「ロンドン」が記憶されていることとする。また利用者は、ロンドンに滞在するとき以外は、日本に居住していることとする。
【００２９】
ステップｂ１では、スケジュール情報２０の時間情報２１、具体的にはスケジュールの年月日および時刻を表す情報が入力されているか否かを判断し、入力されていればステップｂ２に進み、入力されていなければ入力されるまで待機する。
【００３０】
ステップｂ２では、ステップｂ１で入力された時間情報２１、具体的には年月日および時刻を表す情報と、記憶部１２に記憶された滞在期間情報とが重なっているか否かを判断し、重なっていると判断したときはステップｂ３に進み、重なっていないと判断したときはステップｂ４に進む。換言すると、ステップｂ１で入力された年月日および時刻が、記憶部１２に記憶されている滞在期間に属しているか否かを判断し、属していると判断したときはステップｂ３に進み、属していないと判断したときはステップｂ４に進む。
【００３１】
本実施の形態において、スケジュール情報２０の時間情報２１として、「２００５年３月１０日１５時」が入力された場合、この入力された年月日および時刻は、記憶部１２に記憶された滞在期間情報が表す滞在期間に属しているので、利用者が滞在するロンドンにおける年月日および時刻として、制御部１４に認識されることになる。またスケジュール情報２０の時間情報として、「２００５年３月９日１０時」が入力された場合、この入力された年月日および時刻は、記憶部１２に記憶された滞在期間情報が表す滞在期間に属していないので、日本における年月日および時刻として、制御部１４に認識されることになる。
【００３２】
ステップｂ３では、ステップｂ１で入力されたスケジュール情報２０の時間情報２１を、記憶部１２に記憶された滞在予定の地域情報２３の時刻帯に対応する時間情報２１に合致させる。換言すると、ステップｂ１で入力された年月日および時刻を、記憶部１２に記憶された滞在予定地域の時刻帯、本実施の形態ではＧＭＴに対する時差が０時間であるロンドンにおける年月日および時刻とする。ステップｂ３の処理を終了すると、ステップｂ５に進む。
【００３３】
ステップｂ４では、ステップｂ１で入力されたスケジュール情報２０の時間情報２１を、日本の時刻帯に対応する時間情報２１に合致させる。換言すると、ステップｂ１で入力された年月日および時刻を、日本における年月日および時刻とする。ステップｂ４の処理を終了すると、ステップｂ５に進む。
【００３４】
ステップｂ５では、時間情報２１以外のスケジュール情報２０、具体的には内容情報２２および地域情報２３が入力されているか否かを判断し、入力されていればスケジュールｂ６に進み、入力されていなければ入力されるまで待機する。
【００３５】
スケジュールｂ６では、入力されたスケジュール情報２０を記憶部１２のフラッシュメモリに記憶させる。ステップｂ１で入力された時間情報２１に関しては、ステップｂ４またはステップｂ５で合致させた時間情報として記憶部１２に記憶させる。ステップｂ６の処理を終了した後は、本処理を終了する。
【００３６】
本実施の形態では、図５に示すフローチャートのステップｂ２において、入力された時間情報と記憶された滞在期間情報とが重なっているか否かを判断しているけれども、時差および移動時間などを考えた場合、入力された時間情報と記憶された滞在期間情報とが重なっているか否かを判断できない場合がある。このような場合、本実施の形態では、入力した時間情報を、滞在予定の地域および日本のいずれの時刻帯に対応する時間情報に合致させるかの指令の入力を促す文字画像を、表示部１３に表示させる。そして、前記入力された時間情報を、利用者によって入力される前記指令に基づいた時間情報に合致させるようにする。
【００３７】
図６は、スケジュール情報２０の表示処理に関する制御部１４の処理手順を示すフローチャートである。本処理手順の開始条件としては、記憶部１２にスケジュール情報２０が記憶されていることである。本処理手順の制御主体は、特に記載しない限り制御部１４である。ここでは、滞在地域であるロンドンにおけるスケジュール情報２０が記憶部１２に記憶されており、かつ利用者がロンドンに滞在していることとする。
【００３８】
ステップｃ１では、スケジュール情報２０の表示指令が与えられているか否かを判断し、与えられているときはステップｃ２に進み、与えられていなければ本処理を終了する。
【００３９】
ステップｃ２では、滞在地域および日本における時間情報２１の表示指令が与えられているか否かを判断し、与えられているときはステップｃ３に進み、与えられていなければステップｃ６に進む。
【００４０】
ステップｃ３では、記憶部１２に記憶されているロンドンにおけるスケジュール情報２０を読出して、ステップｃ４に進む。本実施の形態では、時間情報「２００５年３月１０日１５時」、内容情報「会議」および地域情報「ロンドン、＊＊ビル」を含むスケジュール情報２０を読出す。
【００４１】
ステップｃ４では、記憶部１２に記憶されている時刻帯情報テーブル３０に基づいて、滞在地域の時間情報に対応する日本の時間情報を算出し、ステップｃ５に進む。具体的に述べると、時刻帯情報テーブル３０から、ロンドンと日本との時差は＋９時間であることが判る。したがって制御部１４は、時差「＋９時間」を考慮することによって、ロンドンで会議をする年月日および時刻である「２００５年３月１０日１５時」に対応する日本の年月日および時刻を「２００５年３月１１日０時」と算出することができる。
【００４２】
ステップｃ５では、滞在地域および日本における時間情報、具体的にはロンドンおよび日本における年月日および時刻で、ステップｃ３で読出したスケジュール情報２０を表示部１３に表示させる。本実施の形態では、「２００５年３月１０日１５時（ロンドン時間）；２００５年３月１１日０時（日本時間）、会議、ロンドン、＊＊ビル」などのように、スケジュール情報２０を表示部１３に表示させる。ステップｃ５の処理を終了した後は、本処理を終了する。
【００４３】
ステップｃ６では、記憶部１２に記憶されているロンドンにおけるスケジュール情報２０を読出して、ステップｃ７に進む。本実施の形態では、時間情報「２００５年３月１０日１５時」、内容情報「会議」および地域情報「ロンドン、＊＊ビル」を含むスケジュール情報２０を読出す。
【００４４】
ステップｃ７では、滞在地域における時間情報、具体的にはロンドンにおける年月日および時刻で、ステップｃ６で読出したスケジュール情報２０を表示部１３に表示させる。本実施の形態では、「２００５年３月１０日１５時（ロンドン時間）、会議、ロンドン、＊＊ビル」などのように、スケジュール情報２０を表示部１３に表示させる。ステップｃ７の処理を終了した後は、本処理を終了する。
【００４５】
前述のように本実施の形態によれば、予め記憶部１２に記憶された滞在期間情報と、入力部１１に新たに入力された時間情報（以下、「入力時間情報」という場合がある）、具体的には年月日および時刻を表す情報との重なり状態が、制御部１４によって判断される。制御部１４によって滞在期間情報と入力時間情報とが重なっていると判断されたとき、制御部１４によって入力時間情報が、記憶部１２に記憶された滞在予定の地域情報２３の時刻帯に対応する時間情報２１に合致させられる。したがって前記従来の技術のように、利用者がスケジュール情報２０を入力して記憶させるたびに、所望する地域の時刻帯を指定して入力する操作を行う必要が無くなる。これによって前記従来の技術よりも利用者の入力負荷を軽減することができる。
【００４６】
また本実施の形態によれば、入力部１１に、スケジュール情報２０を表示部１３に表示させるための指令が入力されると、表示部１３は前記指令に基づいて、記憶部１２に記憶されているスケジュール情報２０を読出して表示するように、制御部１４によって制御される。たとえば、制御部１４によって前記滞在期間情報と入力時間情報とが重なっていると判断された場合、利用者によってスケジュール情報２０を表示部１３に表示させる指令が入力されると、記憶部１２に記憶された地域情報２３の時刻帯に対応する時間情報に合致させられた入力時間情報を含むスケジュール情報２０が、表示部１３に表示される。したがって本発明では、前記従来の技術とは異なり、利用者が所望する地域の時刻帯を指定して入力する操作をする必要が無く、スケジュール情報２０を表示部１３に表示する指令を入力する操作をするだけで、所定の地域情報２３の時刻帯に対応する時間情報２１に合致させられた入力時間情報を含むスケジュール情報２０を、容易かつ迅速に表示部１３に表示させることができる。これによって利用者は、表示部１３に表示されたスケジュール情報２０を即座に確認することができ、利用者の使い勝手を向上することができる。
【００４７】
また本実施の形態によれば、記憶部１２に記憶された時刻帯情報テーブル３０に応じて、前記滞在期間情報と入力時間情報との重なり状態を判断するので、滞在期間情報と入力時間情報との重なり状態を正確に判断することができる。
【００４８】
また本発明の他の実施の形態では、前述の電子装置１の動作処理を、プログラムを用いて、コンピュータに実行させることができる。コンピュータは、予め記憶部１２に記憶されたプログラムに基づいて、記憶部１２に記憶された滞在期間情報と、新たに入力された入力時間情報との重なり状態を判断し、滞在期間情報と入力時間情報とが重なっていると判断したとき、入力時間情報を、記憶部１２に記憶された滞在予定の地域情報２３の時刻帯に対応する時間情報２１に合致させる。そして入力部１１に、スケジュール情報２０を表示部１３に表示させるための指令が入力されたとき、記憶部１２に記憶されているスケジュール情報２０を読出して表示する。
【００４９】
したがって、汎用的なコンピュータを用いてプログラムを実行することによって、前記従来の技術のように、利用者がスケジュール情報２０を入力して記憶させるたびに、所望する地域の時刻帯を指定して入力する操作を行う必要が無く、従来の技術よりも利用者の入力負荷を軽減することができる。またスケジュール情報２０を表示部１３に表示する指令を入力する操作をするだけで、所定の地域情報２３の時刻帯に対応する時間情報２１に合致させられた入力時間情報を含むスケジュール情報２０を、容易かつ迅速に表示部１３に表示させることができる。これによって利用者は、表示部１３に表示されたスケジュール情報２０を即座に確認することができ、利用者の使い勝手を向上することができる。
【００５０】
前述の実施の形態は、本発明の例示に過ぎず、本発明の範囲内において構成を変更することができる。前述の実施の形態では、ＰＤＡによって実現される電子装置１の構成について述べたが、電子装置１はＰＤＡに限らず、たとえば携帯電話装置および携帯形のパーソナルコンピュータ（略称：ＰＣ）によって実現されてもよい。
【００５１】
前述の実施の形態における滞在期間の始期および終期は、それぞれ「国外到着日時」および「国外出発日時」としているが、滞在期間の定義はこれに限定されるものではなく、利用者の要望に応じて適宜変更可能である。本発明の他の実施の形態では、滞在期間の始期を「日本出発日時」、終期を「日本到着日時」としてもよい。
【図面の簡単な説明】
【００５２】
【図１】本発明の実施の一形態である電子装置１の電気的構成を示すブロック図である。
【図２】スケジュール情報２０の構成を示す図である。
【図３】時刻帯情報テーブル３０の構成を示す図である。
【図４】スケジュール情報２０の入力処理および記憶処理に関する制御部１４の処理手順を示すフローチャートである。
【図５】スケジュール情報２０の入力処理および記憶処理に関する制御部１４の処理手順を示すフローチャートである。
【図６】スケジュール情報２０の表示処理に関する制御部１４の処理手順を示すフローチャートである。
【符号の説明】
【００５３】
１  電子装置
１１  入力部
１２  記憶部
１３  表示部
１４  制御部
２０  スケジュール情報
２１  時間情報
２２  内容情報
２３  地域情報
３０  時刻帯情報テーブル
【図１】
2006330928.tif 000003
【図２】
2006330928.tif 000004
【図３】
2006330928.tif 000005
【図４】
2006330928.tif 000006
【図５】
2006330928.tif 000007
【図６】
2006330928.tif 000008